(57)【要約】【課題】Ｘ線撮影においてＸ線受光部にはＸ線管の焦点で発生するＸ線だけでなく、焦点以外の陽極の表面で発生する焦点外Ｘ線も入射している。焦点外Ｘ線によりＸ線の発生源の面積は厳密には焦点の面積以上に大きくなるため、撮影されるＸ線画像の画質の劣化を生じている。【解決手段】可動絞り１４内のリーフ１５および１６よりＸ線管１の焦点３に近い位置に、その中心が照射野中心線２０上にあり、焦点面積より小さい面積の例えば円形の孔であるピンホール７Ａを有するピンホール付遮蔽板７を配置する。ピンホール付遮蔽板７はＸ線吸収体により構成されているので、焦点３で発生したＸ線も焦点外Ｘ線もまずピンホール付遮蔽板７によってコリメートされ、その後さらにリーフ１５および１６よりコリメートされることにより、Ｘ線受光部１２に入射する焦点外Ｘ線の量を大幅に減らすことができる。【選択図】          図１
2009118925.tif 000002
【特許請求の範囲】
【請求項１】
Ｘ線管のＸ線照射口に取り付けられ、内蔵するＸ線遮蔽板を開閉することによりＸ線の照射野を制限するＸ線可動絞り装置において、中心が前記照射野の中心線上に位置し前記Ｘ線管の焦点の面積より小さい面積の孔を有するピンホール付きＸ線遮蔽板を前記Ｘ線遮蔽板より前記Ｘ線管に近い側に内蔵することを特徴とするＸ線可動絞り装置。
【請求項２】
Ｘ線管のＸ線照射口に取り付けられ、内蔵するＸ線遮蔽板を開閉することによりＸ線の照射野を制限するＸ線可動絞り装置において、回転可能に支持され、回転軸心から照射野の中心線までの距離を半径とする円周上に、前記Ｘ線管の焦点の面積より小さく、面積の異なる複数個の孔を有し、操作者が回転させることにより前記複数個の孔のうちの任意の孔を照射野の中心線上に配置可能であるピンホール付きＸ線遮蔽板を前記Ｘ線遮蔽板より前記Ｘ線管に近い側に内蔵することを特徴とするＸ線可動絞り装置。
【発明の詳細な説明】
【技術分野】
【０００１】
本発明はＸ線透視撮影に用いられるＸ線可動絞り装置に関する。
【背景技術】
【０００２】
Ｘ線撮影等に用いられるＸ線は通常その発生源であるＸ線管焦点から出力されるＸ線ビームのうち必要な部分のみをコリメートして使用される（例えば特許文献１参照）。このためＸ線透視撮影装置では図４に示すようにＸ線管１のＸ線射出部に可動絞り４が取り付けられる。可動絞り４はそれぞれ照射野中心線２０を中心に対向配置されて開閉する２枚のＸ線吸収体により構成されるリーフ５およびリーフ６を内蔵し、外部からの操作によりそれらを開閉することにより、Ｘ線管１の焦点３から出力されるＸ線が通過できる開口の幅を変化させて、たとえばフラットパネル型Ｘ線検出器やＸ線フィルム等により構成されるＸ線受光部１２に最適な照射野を形成する。ただしＸ線管１は焦点３以外の陽極２の表面全体からもＸ線を出力している。これらのＸ線は焦点外Ｘ線と呼ばれ、焦点３でＸ線が発生するとき同時に発生した２次電子が再度陽極２の表面に衝突して発生するもので、焦点３で発生するＸ線に比べて強度は小さいが、その一部はリーフ５およびリーフ６の開口部を通過してＸ線受光部１２に至り、Ｘ線受光部１２を覆ってより広い面積に照射される。
【特許文献１】平１−１５６７００号公報
【発明の開示】
【発明が解決しようとする課題】
【０００３】
上述したようにＸ線受光部１２にはＸ線管１の焦点３で発生するＸ線だけでなく、焦点３以外の陽極２の表面で発生する焦点外Ｘ線も入射している。焦点外Ｘ線によりＸ線の発生源の面積は厳密には焦点の面積以上に大きくなるため、撮影されるＸ線画像の画質の劣化を生じている。本発明はこの問題を低減するためのものである。
【課題を解決するための手段】
【０００４】
請求項１記載の発明は上記の目的を達成するために、Ｘ線管のＸ線照射口に取り付けられ、内蔵するＸ線遮蔽板を開閉することによりＸ線の照射野を制限するＸ線可動絞り装置において、中心が前記照射野の中心線上に位置し前記Ｘ線管の焦点の面積より小さい面積の孔を有するピンホール付きＸ線遮蔽板を前記Ｘ線遮蔽板より前記Ｘ線管に近い側に内蔵するＸ線可動絞り装置を提供する。
【０００５】
請求項２記載の発明は上記の目的を達成するために、Ｘ線管のＸ線照射口に取り付けられ、内蔵するＸ線遮蔽板を開閉することによりＸ線の照射野を制限するＸ線可動絞り装置において、回転可能に支持され、前記回転の中心から照射野の中心線までの距離を半径とする円周上に、前記Ｘ線管の焦点の面積より小さく、面積の異なる複数個の孔を有し、操作者が回転させることにより前記複数個の孔のうちの任意の孔を照射野の中心線上に配置可能であるピンホール付きＸ線遮蔽板を前記Ｘ線遮蔽板より前記Ｘ線管に近い側に内蔵するＸ線可動絞り装置を提供する。
【発明の効果】
【０００６】
本発明により可動絞り内のリーフよりＸ線管の焦点に近い位置に焦点面積より小さい面積の孔を有するＸ線遮蔽板を配置することにより、Ｘ線受光部に入射する焦点外Ｘ線の量を大幅に減らすことができるので、焦点外Ｘ線によるＸ線画像の画質の劣化を低減することができる。
【発明を実施するための最良の形態】
【０００７】
本発明の実施例について図１を用いて説明する。Ｘ線撮影のためのＸ線の発生源であるＸ線管１のＸ線射出部には、焦点３から出力されるＸ線ビームのうち撮影に不要な部分を遮断するために可動絞り１４が取り付けられる。可動絞り１４はそれぞれ照射野中心線２０を中心に対向配置されて開閉する２枚のＸ線吸収体により構成されるリーフ１５およびリーフ１６を内蔵し、外部からの操作によりそれらを開閉することにより、Ｘ線管１の焦点３から出力されるＸ線が通過できる開口の幅を変化させて、たとえばフラットパネル型Ｘ線検出器やＸ線フィルム等により構成されるＸ線受光部１２に最適な照射野を形成する。ただしＸ線管１は焦点３以外の陽極２の表面全体からもＸ線を出力している。これらのＸ線は焦点外Ｘ線と呼ばれ、焦点３でＸ線が発生するとき同時に発生した２次電子が再度陽極２の表面に衝突して発生するもので、焦点３で発生するＸ線に比べて強度は小さいが、その一部はリーフ１５およびリーフ１６の開口部を通過してＸ線受光部１２に至っている。このような焦点外Ｘ線によりＸ線の発生源の面積は厳密には焦点の面積以上に大きくなるため、撮影されるＸ線画像の画質の劣化を生じている。
【０００８】
以上は背景技術の項で述べたのと同じであるが、本発明では可動絞り１４内のリーフ１５および１６よりＸ線管１の焦点３に近い位置に、その中心が照射野中心線２０上にあり、リーフ１５および１６の開口が焦点３の両端とピンホール７Ａを結ぶ範囲以下となるピンホール７Ａを有するピンホール付遮蔽板７を配置している。ピンホール付遮蔽板７はＸ線吸収体により構成されているので、焦点３で発生したＸ線も焦点外Ｘ線もまずピンホール付遮蔽板７によってコリメートされ、その後さらにリーフ１５および１６よりコリメートされることにより、Ｘ線受光部１２に入射する焦点外Ｘ線の量を大幅に減らすことができるので、焦点外Ｘ線によるＸ線画像の画質の劣化を低減することができる。なおピンホール７Ａの形状は特に円形にこだわるものではなく任意の形状でよい。
【０００９】
次に図２および図３により第二の実施例について説明する。第二の実施例は上記の実施例のピンホール付遮蔽板７の代わりに直径の異なる複数個の円形の孔を有するピンホール付遮蔽板９を配置している。Ｘ線吸収体により構成されるピンホール付遮蔽板９はその上面図を図３に示すように、可動絞り８内に取り付けられたパルスモータ１１の回転軸に同軸状に取り付けられ、パルスモータ１１により回転する歯車１０と噛合する歯をその全周に有し、自身の回転軸芯９Ｅを中心に回転可能に可動絞り８に支持されるとともに、同じく回転軸芯９Ｅを中心とし、回転軸芯９Ｅから照射野中心線２０までの距離を半径とする円周上に、いずれも焦点３の面積より小さい面積の直径の異なる４個の円形のピンホール９Ａ、９Ｂ、９Ｃ、９Ｄが設けられている。そして操作者（図示しない）が可動絞り８の操作パネル（図示しない）を操作して、パルスモータ１１に適当数の電力パルスを供給して回転駆動することによりピンホール付遮蔽板９を回転させて４個のピンホール９Ａ、９Ｂ、９Ｃ、９Ｄのうちの所望の直径のピンホールを照射野中心線２０上に配置することができる。なお図２において図１と同じ符号で示す部品は図１と同じものなので説明は省略する。
【００１０】
４個のピンホール９Ａ、９Ｂ、９Ｃ、９Ｄについては、直径が大きくなれば照射野寸法および焦点外Ｘ線の影響がともに大きくなり、直径が小さくなればともに小さくなるので、第二の実施例に示す方法により、撮影する被写体の大きさに適した径のピンホールを選定して使用することができる。またピンホールの大きさを変えることにより、実際の焦点３の寸法より小さい４個の焦点３の中から適当なものを選ぶことができる。
【００１１】
上記の実施例でピンホール付遮蔽板９に設けるピンホールの個数は特に４個にこだわるものではなく、２個以上の任意の個数でよい。
【００１２】
上記の実施例でピンホール付遮蔽板９を回転させるために、パルスモータ１１および歯車１０を用いたが、パルスモータ１１の代わりに歯車１０と同軸状につまみを取り付け、操作者がつまみを回転させることにより、ピンホール付遮蔽板９を回転させてもよい。またパルスモータ１１の代わりに通常のモータを用いてもよい。
【産業上の利用可能性】
【００１３】
本発明はＸ線透視撮影に用いられるＸ線可動絞り装置に関する。
【図面の簡単な説明】
【００１４】
【図１】本発明の実施例を説明するための図である。
【図２】本発明の別の実施例を説明するための図である。
【図３】本発明の別の実施例を説明するための図である。
【図４】従来のＸ線可動絞りと焦点外Ｘ線の関係を説明するための図である。
【符号の説明】
【００１５】
１：Ｘ線管
２：陽極
３：焦点
４：可動絞り
５：リーフ
６：リーフ
７：ピンホール付遮蔽板
７Ａ：ピンホール
８：可動絞り
９：ピンホール付遮蔽板
９Ａ：ピンホール
９Ｂ：ピンホール
９Ｃ：ピンホール
９Ｄ：ピンホール
９Ｅ：回転軸芯
１０：歯車
１１：パルスモータ
１２：Ｘ線受光部
１４：可動絞り
１５：リーフ
１６：リーフ
２０：照射野中心線
【図１】
2009118925.tif 000003
【図２】
2009118925.tif 000004
【図３】
2009118925.tif 000005
【図４】
2009118925.tif 000006